(57)【要約】  本発明は、制御シグナリング検出およびシグナリング検出制御方法および装置を開示する。前記方法は、サブフレームＳにおいて、端末がＫ個のｅＰＤＣＣＨリソースセット内に制御シグナリングを検出することと、端末が前記Ｋ個のｅＰＤＣＣＨリソースセットにおけるセットＳｅｔ  ｉにリソースの集約レベルのセットＸ（ｉ）を検出し、ｉが整数で、０?ｉ＝Ｋとすることとを含む。本発明により、各ｅＰＤＣＣＨ  ｒｅｓｏｕｒｃｅ  ｓｅｔの検出がよりターゲットを絞るようになり、不合理な集約レベル検出を避けて、検出効率を向上させる。【選択図】図６
2015534756.tif 000002
【特許請求の範囲】
【請求項１】
制御シグナリング検出方法であって、
サブフレームＳにおいて、端末がＫ個の強化型物理下りリンク制御チャネルｅＰＤＣＣＨリソースセット内に制御シグナリングを検出することと、端末が前記Ｋ個のｅＰＤＣＣＨリソースセットにおけるセットＳｅｔ  ｉにリソースの集約レベルのＳｅｔＸ（ｉ）を検出し、ｉが整数で、０＜ｉ＜＝Ｋとすることとを含む方法。
【請求項２】
Ｋが１より大きい整数である場合、サブフレームＳにおいて、Ｘ（ｉ）がＳｅｔ  ｉのタイプに対応する選択可能なすべての集約レベルＡＬセットにおける連続する一部または全部のＡＬであり、且つ少なくとも１個のＸ（ｉ）が選択可能なすべてのＡＬセットにおける連続する一部のＡＬであり、
サブフレームＳにおいて、集中型Ｌｏｃａｌｉｚｅｄ型ｅＰＤＣＣＨリソースセットに対応する選択可能なＡＬセットが｛１、２、４｝であり、分散型Ｄｉｓｔｒｉｂｕｔｅｄ型ｅＰＤＣＣＨリソースセットに対応する選択可能なＡＬセットが｛１、２、４、８｝であり、
または、サブフレームＳにおいて、Ｌｏｃａｌｉｚｅｄ型ｅＰＤＣＣＨリソースセットに対応する選択可能なＡＬセットが｛１、２、４、８｝であり、Ｄｉｓｔｒｉｂｕｔｅｄ型ｅＰＤＣＣＨリソースセットに対応する選択可能なＡＬセットが｛１、２、４、８、１６｝であり、
または、サブフレームＳにおいて、Ｌｏｃａｌｉｚｅｄ型ｅＰＤＣＣＨリソースセットに対応する選択可能なＡＬセットが｛２、４、８｝であり、Ｄｉｓｔｒｉｂｕｔｅｄ型ｅＰＤＣＣＨリソースセットに対応する選択可能なＡＬセットが｛２、４、８、１６｝であり、
または、サブフレームＳにおいて、Ｌｏｃａｌｉｚｅｄ型ｅＰＤＣＣＨリソースセットに対応する選択可能なＡＬセットが｛２、４、８、１６｝であり、Ｄｉｓｔｒｉｂｕｔｅｄ型ｅＰＤＣＣＨリソースセットに対応する選択可能なＡＬセットが｛２、４、８、１６、３２｝であり、
複数のＳｅｔに対応する検出すべき集約レベルセットに、交差点セットがないまたは１個のＡＬが含まれる交差点セットまたは２個のＡＬが含まれる交差点セットが存在し、
Ｓｅｔに対応するＡＬセットは、下記の表に示されることを特徴とする請求項１に記載の方法。
【表１０１】
2015534756.tif 000083
【請求項３】
Ｋが１より大きい整数であり、且つ同じタイプのｅＰＤＣＣＨリソースセットが存在する場合、同じｅＰＤＣＣＨリソースセット内のｅＰＤＣＣＨ伝送タイプにおける複数のｅＰＤＣＣＨリソースセットに対応する検出すべき集約セットは、異なり、
同じｅＰＤＣＣＨリソースセットタイプにおける複数のｅＰＤＣＣＨリソースセットに対応する検出すべき集約レベルに、交差点セットがないまたは１個のＡＬが含まれる交差点セットが存在し、
Ｄタイプに対応するＡＬセットにおけるいずれかの集約レベルは、Ｌタイプに対応するＡＬセットにおける最大の集約レベルより以上であり、
２個のｅＰＤＣＣＨリソースセットがＬタイプに属する場合は、次の表に示され、
【表１０２】
2015534756.tif 000084
２個のｅＰＤＣＣＨリソースセットがＤタイプに属する場合は、次の表に示されることを特徴とする請求項１に記載の方法。
【表１０３】
2015534756.tif 000085
【請求項４】
少なくとも（ａ）Ｓｅｔ  ｉに対応する物理リソースブロックペアＰＲＢ  ｐａｉｒの個数Ｎ、
（ｂ）Ｓｅｔ  ｉのタイプ、
（ｃ）Ｓｅｔ  ｉに含まれるＰＲＢ  ｐａｉｒのＰＲＢインデックスｉｎｄｅｘ、
（ｄ）ｅＰＤＣＣＨリソースセットに対する基地局の集約レベル配置したシグナリング、
（ｅ）ｅＰＤＣＣＨリソースセットのｅＰＤＣＣＨ伝送タイプ、
（ｆ）Ｋ値とｅＰＤＣＣＨリソースセットのインデックスｉ、
（ｇ）強化型制御チャネル要素ｅＣＣＥに含まれる強化型リソース要素グループｅＲＥＧの数のうちの一つまたは組合せに基づいてＸ（ｉ）を確定することを特徴とする、
請求項１〜３のいずれか１項に記載の方法。
【請求項５】
前記（ａ）〜（ｇ）における複数の組み合わせに基づいてＸ（ｉ）を確定する場合、
少なくともＳｅｔ  ｉに対応するＰＲＢ  ｐａｉｒの個数ＮとｅＣＣＥに含まれるｅＲＥＧの数に基づいてＸ（ｉ）を確定する、または、
少なくともＳｅｔ  ｉに対応するＰＲＢ  ｐａｉｒの個数Ｎの値とｅＣＣＥに含まれるｅＲＥＧの数に基づいてＸ（ｉ）を確定する、または、
少なくともＳｅｔ  ｉのｅＰＤＣＣＨ伝送タイプとｅＣＣＥに含まれるｅＲＥＧの数に基づいてＸ（ｉ）を確定する、または、
少なくともＳｅｔ  ｉに含まれるＰＲＢ  ｐａｉｒのＰＲＢ  ｉｎｄｅｘとｅＣＣＥに含まれるｅＲＥＧの数に基づいてＸ（ｉ）を確定する、または、
少なくとも基地局の集約レベル配置シグナリングとｅＣＣＥに含まれるｅＲＥＧの数に基づいてＸ（ｉ）を確定する、または、
少なくともＳｅｔ  ｉのｅＰＤＣＣＨ伝送タイプ、Ｋ値とｅＰＤＣＣＨリソースセットのインデックスｉおよびｅＣＣＥに含まれるｅＲＥＧの数に基づいてＸ（ｉ）を確定する、または、
少なくともＫ値、ｅＰＤＣＣＨリソースセットのインデックスｉとｅＣＣＥに含まれるｅＲＥＧの数に基づいてＸ（ｉ）を確定する、または、
少なくともＳｅｔ  ｉに対応するＮの値、Ｓｅｔ  ｉのｅＰＤＣＣＨ伝送タイプに基づいてＸ（ｉ）を確定する、または、
少なくともＳｅｔ  ｉに対応するＮの値、およびＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＮの値、およびｅＰＤＣＣＨリソースセットに対する基地局の集約レベル配置シグナリングに基づいてＸ（ｉ）を確定する、または、
少なくともＳｅｔ  ｉに対応するＮの値、Ｋ個のｅＰＤＣＣＨリソースセットのｅＰＤＣＣＨ伝送タイプ、およびＫ値とインデックスｉに基づいてＸ（ｉ）を確定する、または、
少なくともＳｅｔ  ｉに対応するＮの値、Ｋ個のｅＰＤＣＣＨリソースセットのｅＰＤＣＣＨ伝送タイプ、およびインデックスｉに基づいてＸ（ｉ）を確定する、または、
少なくともＳｅｔ  ｉに対応するＮの値、Ｋ値とインデックスｉに基づいてＸ（ｉ）を確定する、または、
少なくともＳｅｔ  ｉに対応するＮの値、Ｋ値とインデックスｉ、およびＳｅｔ  ｉのｅＰＤＣＣＨ伝送タイプとＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＮの値、Ｋ値とインデックスｉ、Ｓｅｔ  ｉのｅＰＤＣＣＨ伝送タイプとｅＰＤＣＣＨリソースセットに対する基地局の集約レベル配置シグナリングに基づいてＸ（ｉ）を確定する、または、
少なくともＫ個のｅＰＤＣＣＨリソースセットのｅＰＤＣＣＨ伝送タイプ、インデックスｉ、Ｓｅｔ  ｉのｅＰＤＣＣＨ伝送タイプとｅＰＤＣＣＨリソースセットに対する基地局の集約レベル配置シグナリングに基づいてＸ（ｉ）を確定する、または、
少なくともＳｅｔ  ｉのｅＰＤＣＣＨ伝送タイプ、インデックスｉとＫ値に基づいてＸ（ｉ）を確定する、または、
少なくともｅＰＤＣＣＨリソースセットに対する基地局の集約レベル配置シグナリング、Ｓｅｔ  ｉに含まれるＰＲＢ  ｐａｉｒのＰＲＢ  ｉｎｄｅｘに基づいてＸ（ｉ）を確定する、または、
少なくともＳｅｔ  ｉに含まれるＰＲＢ  ｐａｉｒのＰＲＢ  ｉｎｄｅｘ、インデックスｉ、Ｋ個のｅＰＤＣＣＨリソースセットのｅＰＤＣＣＨ伝送タイプに基づいてＸ（ｉ）を確定する、または、
少なくともＳｅｔ  ｉに含まれるＰＲＢ  ｐａｉｒのＰＲＢ  ｉｎｄｅｘ、Ｋ値とインデックスｉ基づいてＸ（ｉ）を確定する、または、
少なくともｅＰＤＣＣＨリソースセットに対する基地局の集約レベル配置シグナリング、Ｋ個のｅＰＤＣＣＨリソースセットのｅＰＤＣＣＨ伝送タイプとインデックスｉに基づいてＸ（ｉ）を確定する、または、
少なくともｅＰＤＣＣＨリソースセットに対する基地局の集約レベル配置シグナリング、Ｋ値とインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとｅＰＤＣＣＨリソースセットに対する基地局の集約レベル配置シグナリングに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＫ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＫ個のｅＰＤＣＣＨリソースセットのｅＰＤＣＣＨ伝送タイプおよびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＳｅｔ  ｉに含まれるＰＲＢ  ｐａｉｒのＰＲＢ  ｉｎｄｅｘ、およびｅＰＤＣＣＨリソースセットに対する基地局の集約レベル配置シグナリングに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、Ｋ個のｅＰＤＣＣＨリソースセットのｅＰＤＣＣＨ伝送タイプおよびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、Ｋ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、ｅＰＤＣＣＨリソースセットに対する基地局の集約レベル配置シグナリング、Ｋ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、Ｋ個のｅＰＤＣＣＨリソースセットのｅＰＤＣＣＨ伝送タイプ、Ｋ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、ｅＰＤＣＣＨリソースセットに対する基地局の集約レベル配置シグナリング、Ｋ個のｅＰＤＣＣＨリソースセットのｅＰＤＣＣＨリソース伝送タイプ、Ｋ値およびインデックスｉに基づいてＸ（ｉ）を確定することを特徴とする、請求項４に記載の方法。
【請求項６】
Ｘ（ｉ）を確定する場合に、ｅＣＣＥに含まれるｅＲＥＧの個数と組み合わせる、または、
Ｘ（ｉ）を確定する場合に、検出すべきＤＣＩフォーマット（ｆｏｒｍａｔ）と組み合わせる、または、
Ｘ（ｉ）を確定する場合に、サブフレームタイプおよび／またはサブフレームＳにおける伝送のための検出すべきＤＣＩ  フォーマットに対応する符号化レート、サブフレームＳにおけるＰＲＢ  ｐａｉｒ内のｅＰＤＣＣＨを伝送するために利用可能なリソース要素ＲＥの数、サブフレームＳにおけるｅＣＣＥ内のｅＰＤＣＣＨを伝送するために利用可能なＲＥの数のうちの１個と組み合わせることを特徴とする、請求項４に記載の方法。
【請求項７】
サブフレームＳにおいて、Ｋ個のｅＰＤＣＣＨリソースセット内に制御シグナリングを検出し、前記Ｋ個のｅＰＤＣＣＨリソースセットにおけるセットＳｅｔ  ｉにリソースの集約レベルのセットＸ（ｉ）を検出し、ｉが整数で、０＜ｉ＜＝Ｋとするように構成される制御シグナリング検出装置。
【請求項８】
Ｋが１より大きい整数である場合、サブフレームＳにおいて、Ｘ（ｉ）がＳｅｔ  ｉのタイプに対応する選択可能なすべての集約レベルＡＬセットにおける連続する一部または全部のＡＬであり、且つ少なくとも１個のＸ（ｉ）が選択可能なすべてのＡＬセットにおける連続する一部のＡＬであり、
サブフレームＳにおいて、Ｌｏｃａｌｉｚｅｄ型ｅＰＤＣＣＨリソースセットに対応する選択可能なＡＬセットが｛１、２、４｝であり、Ｄｉｓｔｒｉｂｕｔｅｄ型ｅＰＤＣＣＨリソースセットに対応する選択可能なＡＬセットが｛１、２、４、８｝である、
または、サブフレームＳにおいて、Ｌｏｃａｌｉｚｅｄ型ｅＰＤＣＣＨリソースセットに対応する選択可能なＡＬセットが｛１、２、４、８｝であり、Ｄｉｓｔｒｉｂｕｔｅｄ型ｅＰＤＣＣＨリソースセットに対応する選択可能なＡＬセットが｛１、２、４、８、１６｝であり、
または、サブフレームＳにおいて、Ｌｏｃａｌｉｚｅｄ型ｅＰＤＣＣＨリソースセットに対応する選択可能なＡＬセットが｛２、４、８｝であり、Ｄｉｓｔｒｉｂｕｔｅｄ型ｅＰＤＣＣＨリソースセットに対応する選択可能なＡＬセットが｛２、４、８、１６｝であり、
または、サブフレームＳにおいて、Ｌｏｃａｌｉｚｅｄ型ｅＰＤＣＣＨリソースセットに対応する選択可能なＡＬセットが｛２、４、８、１６｝であり、Ｄｉｓｔｒｉｂｕｔｅｄ型ｅＰＤＣＣＨリソースセットに対応する選択可能なＡＬセットが｛２、４、８、１６、３２｝であり、
複数のＳｅｔに対応する検出すべき集約レベルセットに、交差点セットがないまたは１個のＡＬが含まれる交差点セットまたは２個のＡＬが含まれる交差点セットが存在し、
セットに対応するＡＬセットは、下記の表に示されることを特徴とする、請求項７に記載の装置。
【表１０４】
2015534756.tif 000086
【請求項９】
Ｋが１より大きい整数であり、且つ同じタイプのｅＰＤＣＣＨリソースセットが存在する場合、同じｅＰＤＣＣＨリソースセット内のｅＰＤＣＣＨ伝送タイプにおける複数のｅＰＤＣＣＨリソースセットに対応する検出すべき集約セットは、異なり、
同じｅＰＤＣＣＨリソースセットタイプにおける複数のｅＰＤＣＣＨリソースセットに対応する検出すべき集約レベルに、交差点セットがないまたは１個のＡＬが含まれる交差点セットが存在し、
Ｄタイプに対応するＡＬセットにおけるいずれかの集約レベルは、Ｌタイプに対応するＡＬセットにおける最大の集約レベルより以上であり、
２個のｅＰＤＣＣＨリソースセットがＬタイプに属する場合は、次の表に示され、
【表１０５】
2015534756.tif 000087
２個のｅＰＤＣＣＨリソースセットがＤタイプに属する場合は、次の表に示されることを特徴とする、請求項７に記載の装置。
【表１０６】
2015534756.tif 000088
【請求項１０】
少なくとも（ａ）Ｓｅｔ  ｉに対応するＰＲＢ  ｐａｉｒの個数Ｎ、
（ｂ）Ｓｅｔ  ｉのタイプ、
（ｃ）Ｓｅｔ  ｉに含まれるＰＲＢ  ｐａｉｒのＰＲＢインデックスｉｎｄｅｘ、
（ｄ）ｅＰＤＣＣＨリソースセットに対する基地局の集約レベル配置シグナリング、
（ｅ）ｅＰＤＣＣＨリソースセットのｅＰＤＣＣＨ伝送タイプ、
（ｆ）Ｋ値とｅＰＤＣＣＨリソースセットのインデックスｉ、
（ｇ）ｅＣＣＥに含まれるｅＲＥＧの数のうちの一つまたは組合せに基づいてＸ（ｉ）を確定するように構成されることを特徴とする、請求項７〜９のいずれか１項に記載の装置。
【請求項１１】
前記（ａ）〜（ｇ）における複数の組み合わせに基づいてＸ（ｉ）を確定する場合に、
少なくともＳｅｔ  ｉに対応するＰＲＢ  ｐａｉｒの個数ＮとｅＣＣＥに含まれるｅＲＥＧの数に基づいてＸ（ｉ）を確定する、または、
少なくともＳｅｔ  ｉに対応するＰＲＢ  ｐａｉｒの個数Ｎの値とｅＣＣＥに含まれるｅＲＥＧの数に基づいてＸ（ｉ）を確定する、または、
少なくともＳｅｔ  ｉのｅＰＤＣＣＨ伝送タイプとｅＣＣＥに含まれるｅＲＥＧの数に基づいてＸ（ｉ）を確定する、または、
少なくともＳｅｔ  ｉに含まれるＰＲＢ  ｐａｉｒのＰＲＢ  ｉｎｄｅｘとｅＣＣＥに含まれるｅＲＥＧの数に基づいてＸ（ｉ）を確定する、または、
少なくとも基地局の集約レベル配置シグナリングとｅＣＣＥに含まれるｅＲＥＧの数に基づいてＸ（ｉ）を確定する、または、
少なくともＳｅｔ  ｉのｅＰＤＣＣＨ伝送タイプ、Ｋ値とｅＰＤＣＣＨリソースセットのインデックスｉおよびｅＣＣＥに含まれるｅＲＥＧの数に基づいてＸ（ｉ）を確定する、または、
少なくともＫ値、ｅＰＤＣＣＨリソースセットのインデックスｉとｅＣＣＥに含まれるｅＲＥＧの数に基づいてＸ（ｉ）を確定する、または、
少なくともＳｅｔ  ｉに対応するＮの値、Ｓｅｔ  ｉのｅＰＤＣＣＨ伝送タイプに基づいてＸ（ｉ）を確定する、または、
少なくともＳｅｔ  ｉに対応するＮの値、およびＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＮの値、およびｅＰＤＣＣＨリソースセットに対する基地局の集約レベル配置シグナリングに基づいてＸ（ｉ）を確定する、または、
少なくともＳｅｔ  ｉに対応するＮの値、Ｋ個のｅＰＤＣＣＨリソースセットのｅＰＤＣＣＨ伝送タイプ、およびＫ値とインデックスｉに基づいてＸ（ｉ）を確定する、または、
少なくともＳｅｔ  ｉに対応するＮの値、Ｋ個のｅＰＤＣＣＨリソースセットのｅＰＤＣＣＨ伝送タイプ、およびインデックスｉに基づいてＸ（ｉ）を確定する、または、
少なくともＳｅｔ  ｉに対応するＮの値、Ｋ値とインデックスｉに基づいてＸ（ｉ）を確定する、または、
少なくともＳｅｔ  ｉに対応するＮの値、Ｋ値とインデックスｉ、およびＳｅｔ  ｉのｅＰＤＣＣＨ伝送タイプとＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＮの値、Ｋ値とインデックスｉ、Ｓｅｔ  ｉのｅＰＤＣＣＨ伝送タイプとｅＰＤＣＣＨリソースセットに対する基地局の集約レベル配置シグナリングに基づいてＸ（ｉ）を確定する、または、
少なくともＫ個のｅＰＤＣＣＨリソースセットのｅＰＤＣＣＨ伝送タイプ、インデックスｉ、Ｓｅｔ  ｉのｅＰＤＣＣＨ伝送タイプとｅＰＤＣＣＨリソースセットに対する基地局の集約レベル配置シグナリングに基づいてＸ（ｉ）を確定する、または、
少なくともＳｅｔ  ｉのｅＰＤＣＣＨ伝送タイプ、インデックスｉとＫ値に基づいてＸ（ｉ）を確定する、または、
少なくともｅＰＤＣＣＨリソースセットに対する基地局の集約レベル配置シグナリング、Ｓｅｔ  ｉに含まれるＰＲＢ  ｐａｉｒのＰＲＢ  ｉｎｄｅｘに基づいてＸ（ｉ）を確定する、または、
少なくともＳｅｔ  ｉに含まれるＰＲＢ  ｐａｉｒのＰＲＢ  ｉｎｄｅｘ、インデックスｉ、Ｋ個のｅＰＤＣＣＨリソースセットのｅＰＤＣＣＨ伝送タイプに基づいてＸ（ｉ）を確定する、または、
少なくともＳｅｔ  ｉに含まれるＰＲＢ  ｐａｉｒのＰＲＢ  ｉｎｄｅｘ、Ｋ値とインデックスｉ基づいてＸ（ｉ）を確定する、または、
少なくともｅＰＤＣＣＨリソースセットに対する基地局の集約レベル配置シグナリング、Ｋ個のｅＰＤＣＣＨリソースセットのｅＰＤＣＣＨ伝送タイプとインデックスｉに基づいてＸ（ｉ）を確定する、または、
少なくともｅＰＤＣＣＨリソースセットに対する基地局の集約レベル配置シグナリング、Ｋ値とインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとｅＰＤＣＣＨリソースセットに対する基地局の集約レベル配置シグナリングに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＫ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＫ個のｅＰＤＣＣＨリソースセットのｅＰＤＣＣＨ伝送タイプおよびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＳｅｔ  ｉに含まれるＰＲＢ  ｐａｉｒのＰＲＢ  ｉｎｄｅｘ、およびｅＰＤＣＣＨリソースセットに対する基地局の集約レベル配置シグナリングに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、Ｋ個のｅＰＤＣＣＨリソースセットのｅＰＤＣＣＨ伝送タイプおよびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、Ｋ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、ｅＰＤＣＣＨリソースセットに対する基地局の集約レベル配置シグナリング、Ｋ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、Ｋ個のｅＰＤＣＣＨリソースセットのｅＰＤＣＣＨ伝送タイプ、Ｋ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、ｅＰＤＣＣＨリソースセットに対する基地局の集約レベル配置シグナリング、Ｋ個のｅＰＤＣＣＨリソースセットのｅＰＤＣＣＨ伝送タイプ、Ｋ値およびインデックスｉに基づいてＸ（ｉ）を確定するように構成されることを特徴とする、請求項１０に記載の装置。
【請求項１２】
Ｘ（ｉ）を確定する場合に、ｅＣＣＥに含まれるｅＲＥＧの個数と組み合わせる、または、
Ｘ（ｉ）を確定する場合に、検出すべきＤＣＩフォーマット（ｆｏｒｍａｔ）と組み合わせる、または、
Ｘ（ｉ）を確定する場合に、サブフレームタイプおよび／またはサブフレームＳにおける伝送のための検出すべきＤＣＩ  フォーマットに対応する符号化レート、サブフレームＳにおけるＰＲＢ  ｐａｉｒ内のｅＰＤＣＣＨを伝送するために利用可能なリソース要素ＲＥの数、サブフレームＳにおけるｅＣＣＥ内のｅＰＤＣＣＨを伝送するために利用可能なＲＥの数のうちの１個と組み合わせるように構成されることを特徴とする、請求項１０に記載の装置。
【請求項１３】
前記装置は、端末であることを特徴とする、請求項７に記載の装置。
【請求項１４】
シグナリング検出制御方法であって、
基地局がシグナリングによりＫ個のｅＰＤＣＣＨリソースセットＳｅｔ  ｉに対応する検出すべきＡＬの情報を通知することを含む方法。
【請求項１５】
基地局は、Ｋ値、Ｋ個のＳｅｔに対応するＰＲＢ  ｐａｉｒの個数Ｎの値と各Ｓｅｔの検出すべきＡＬ情報を共同で符号化し、通知する、または、
基地局は、Ｋ値、Ｋ個のＳｅｔのＤ／Ｌタイプと各Ｓｅｔの検出すべきＡＬ情報を共同で符号化し、通知する、または、
基地局は、Ｋ値、Ｋ個のＳｅｔのＤ／Ｌタイプ、Ｋ個のＳｅｔに対応するＰＲＢ  ｐａｉｒの個数Ｎの値と各Ｓｅｔの検出すべきＡＬ情報を共同で符号化し、通知することを特徴とする、請求項１４に記載の方法。
【請求項１６】
前記サブフレームＳは、２種類があり、それぞれ第一種類のサブフレームと第二種類のサブフレームであり、この２種類のサブフレームに対して前記通知を独立的に行い、前記第一のサブフレームが１個のｅＣＣＥに４個のｅＲＥＧを含むサブフレームであり、前記第二のサブフレームが１個のｅＣＣＥに８個のｅＲＥＧを含むサブフレームであることを特徴とする、請求項１５に記載の方法。
【請求項１７】
基地局がＳｅｔ  ｉに対応するＰＲＢ  ｐａｉｒの個数Ｎの値と検出すべきＡＬ情報を共同で符号化し、通知すること、または、
基地局がＳｅｔ  ｉのＤ／Ｌタイプと検出すべきＡＬ情報を共同で符号化し、通知すること、または、
基地局がＳｅｔ  ｉのＤ／Ｌタイプ、Ｓｅｔ  ｉに対応するＰＲＢ  ｐａｉｒの個数Ｎの値と検出すべきＡＬ情報を共同で符号化し、通知することをさらに含むことを特徴とする、請求項１４〜１６のいずれか１項に記載の方法。
【請求項１８】
シグナリングによりＫ個のｅＰＤＣＣＨリソースセットＳｅｔ  ｉに対応する検出すべきＡＬの情報を通知するように構成されるシグナリング検出制御装置。
【請求項１９】
Ｋ値、Ｋ個のＳｅｔに対応するＰＲＢ  ｐａｉｒの個数Ｎの値と各Ｓｅｔの検出すべきＡＬ情報を共同で符号化し、通知する、または、
Ｋ値、Ｋ個のＳｅｔのＤ／Ｌタイプと各Ｓｅｔの検出すべきＡＬ情報を共同で符号化し、通知する、または、
Ｋ値、Ｋ個のＳｅｔのＤ／Ｌタイプ、Ｋ個のＳｅｔに対応するＰＲＢ  ｐａｉｒの個数Ｎの値と各Ｓｅｔの検出すべきＡＬ情報を共同で符号化し、通知するように構成されることを特徴とする、請求項１８に記載の装置。
【請求項２０】
検出すべきＡＬは、ｅＣＣＥに関連し、前記ｅＣＣＥが４個のｅＲＥＧまたは８個のｅＲＥＧを含むことを特徴とする、請求項１９に記載の装置。
【請求項２１】
さらに、Ｓｅｔ  ｉに対応するＰＲＢ  ｐａｉｒの個数Ｎの値と検出すべきＡＬ情報を共同で符号化し、通知する、または、
Ｓｅｔ  ｉのＤ／Ｌタイプと検出すべきＡＬ情報を共同で符号化し、通知する、または、
Ｓｅｔ  ｉのＤ／Ｌタイプ、Ｓｅｔ  ｉに対応するＰＲＢ  ｐａｉｒの個数Ｎの値と検出すべきＡＬ情報を共同で符号化し、通知するように構成されることを特徴とする、請求項１８〜２０のいずれか１項に記載の装置。
【発明の詳細な説明】
【技術分野】
【０００１】
本発明は、通信分野に関し、具体的に制御シグナリング検出およびシグナリング検出制御方法および装置に関する。
【背景技術】
【０００２】
長期発展型（ＬＴＥ：Ｌｏｎｇ  ｔｅｒｍ  ｅｖｏｌｕｔｉｏｎ）システムおよび改善されたＬＴＥ（ＬＴＥ−Ａｄｖａｎｃｅ）システムにおいて、下りリンク物理層制御シグナリングは、端末（例えばユーザー装置（ＵＥ））が知る必要がある下りリンク伝送に関連する下りリンクグラント（ＤＬ  Ｇｒａｎｔ）情報と端末が知る必要がある上りリンク伝送に関連する上りリンクグラント（ＵＬ  Ｇｒａｎｔ）情報を含み、伝送リソース位置、変調符号化モードなどの様々な伝送に関連する情報を指示するようにし、これらの物理層制御シグナリングは、物理下りリンク制御チャネル（ＰＤＣＣＨ：Ｐｈｙｓｉｃａｌ  Ｄｏｗｎｌｉｎｋ  Ｃｏｎｔｒｏｌ  ｃｈａｎｎｅｌ）に伝送される。前記物理層制御シグナリングは、主に物理層のユーザー専有制御シグナリングを意味している。
【０００３】
ＬＴＥシステムのリリース（Ｒ：Ｒｅｌｅａｓｅ）８／９およびＬＴＥ−ＡｄｖａｎｃｅシステムのＲ１０において、物理層制御シグナリングを伝送する物理層制御チャネルは、一般的に前のＮ個の直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルに配置され、このＮ個のシンボルからなるリソース領域が一般的に制御シグナリング伝送領域と呼ばれる。
【０００４】
従来の制御シグナリング伝送領域（第一の制御シグナリング伝送領域、又は第一の制御シグナリング領域と呼ばれる）の利用可能な伝送リソースは、複数の制御チャネル要素（ＣＣＥ）のリソース要素に分けられ、制御シグナリングに占有されたリソースは、ＣＣＥを要素として割り当てられ、リソース要素として、ＣＣＥがさらにリソース要素グループ（ＲＥＧ）に細分されることができ、１個のＣＣＥが複数の不連続なＲＥＧｓから構成され、一般的に９個のＲＥＧｓが１個のＣＣＥを構成し、各ＲＥＧが複数の基本的なリソース要素から構成される。
【０００５】
専有および共通の制御シグナリングは、いずれもＣＣＥをリソース要素として伝送され、その後対応するＲＥＧリソースにマッピングされ、さらに複数の物理リソースブロックペア（ＰＲＢ  ｐａｉｒ、ＰＲＢとも略称されてよい）のＲＥ（Ｒｅｓｏｕｒｃｅ  ｅｌｅｍｅｎｔ：リソース要素、ＲＥが最小のリソース要素である）にマッピングされる。
【０００６】
端末は、一般的に、専有制御シグナリング、共通制御信号の開始位置を計算することでブラインド検出を行い、通常、主に専有制御シグナリングに関心を持つ。ブラインド検出の集約レベル（ＡＬ：Ａｇｇｒｅｇａｔｉｏｎ  Ｌｅｖｅｌ）とブラインド検出の回数は、表１に示される。
【表１】
2015534756.tif 000003
【０００７】
表１から分かるように、ユーザーに割り当てられた制御シグナリング伝送リソースが連続しないので、マルチアンテナシステムにおける閉ループプリコーディング技術の実施に多くの困難を与え、制御シグナリング領域にダイバーシチ技術のみを使用することができ、閉ループプリコーディング技術を使用することが困難となることにつながる。
Ｒ１０の後のリリースにおいて、制御チャネルの伝送容量を向上させ、制御シグナリングがより多くのユーザーをサポートするために、新しい制御チャネル領域（第二の制御シグナリング伝送領域、第二の制御シグナリング領域）を開き、且つ同じ端末の制御シグナリング伝送リソースが連続する時間−周波数リソースであってよく、閉ループプリコーディング技術をサポートし、制御シグナリングの伝送性能を向上させる。
【０００８】
新しいリリース及び古いリリースにおける制御シグナリング領域は、図１に示され、元のＲ８／９／１０の物理下りリンク共有チャネル（ＰＤＳＣＨ）伝送領域に一部の伝送リソースを新しい制御シグナリング伝送領域に割り当てることができ、制御シグナリングの伝送が閉ループプリコーディング技術をサポートするようにし、制御シグナリングの容量を向上させ、そのためより多くのユーザーの制御シグナリングをサポートすることができる。第二の制御シグナリング領域に伝送された制御チャネルを第二の制御チャネルまたは強化型ＰＤＣＣＨ（ｅＰＤＣＣＨ：ｅｎｈａｎｃｅｄ  ＰＤＣＣＨ）と呼ぶことができる。
以下にそれぞれ検出リソース粒度、ｅＰＤＣＣＨ伝送の候補位置（ｅＰＤＣＣＨ  ｃａｎｄｉｄａｔｅｓ）パイロットポート、伝送モードなどの方面からｅＰＤＣＣＨの検出方法を紹介する。
【０００９】
一般的には、基地局は、まずｅＰＤＣＣＨリソースセット（ｒｅｓｏｕｒｃｅ  ｓｅｔ）を端末に通知する。基地局と端末は、さらに、基本的なリソース割り当て要素を約定し、その後数種類の占有リソースのサイズ（一般的に１個以上のリソース割り当て要素の集約である）を約定し、Ｎ個のリソース割り当て要素の集約が集約レベルＮと呼ばれる。一般的に１個の基本リソース要素ｅＣＣＥ（強化型制御チャネル要素）を定義し、ｅＣＣＥがＣＣＥの機能と類似し、第二の制御領域にｅＣＣＥは、ＣＣＥの定義を借用するまたはわずかに変更することができ、新しく定義してもよく、ｅＣＣＥのサイズ（ｓｉｚｅ）が固定されるまたは変化することができる。ｅＣＣＥは、図２、３に示すＤｉｓｔｒｉｂｕｔｅｄ    ｅＣＣＥ（Ｄ−ｅＣＣＥ：分散型ｅＣＣＥ）とＬｏｃａｌｉｚｅｄ  ｅＣＣＥ（Ｌ−ｅＣＣＥ：集中型ｅＣＣＥ）を含むことができる。
【００１０】
制御シグナリングは、ｅＣＣＥに基づいて異なる集約レベル、例えば局所送信に対応する集約レベルセット｛１、２、４、８｝または｛１、２、４、８、１６｝を定義することができ、そうすると異なる集約レベルが異なるリソースサイズを表す。Ｄｉｓｔｒｉｂｕｔｅｄの集約レベルセットが｛１、２、４、８、１６｝または｛１、２、４、８、１６、３２｝であり、そのため、端末は、よりターゲットを絞って対応する集約レベルをブラインド検出することができる。
【００１１】
表２または表３に示すように、現在、いくつかの具体的な場合に基づいて選択可能な検出のための集約レベル総セットを確定することができる。
【表２】
2015534756.tif 000004
【表３】
2015534756.tif 000005
【００１２】
基地局は、端末に複数のｅＰＤＣＣＨリソースセットを配置するかもしれなく、各ｅＰＤＣＣＨリソースセットがＬｏｃａｌｉｚｅｄ型（Ｌタイプと略称されてよく）またはＤｉｓｔｒｉｂｕｔｅｄ型（Ｄタイプと略称されてよく）のみに対応することができる。ｅＰＤＣＣＨリソースセットのタイプとｅＰＤＣＣＨ伝送タイプは、同じ概念であり、ｅＰＤＣＣＨリソースセットのタイプとｅＰＤＣＣＨ伝送タイプは、Ｌｏｃａｌｉｚｅｄ型またはＤｉｓｔｒｉｂｕｔｅｄ型であってよい。前記タイプは、Ｄｉｓｔｒｉｂｕｔｅｄ型に配置されると、ｅＰＤＣＣＨリソースセット内にＤｉｓｔｒｉｂｕｔｅｄ型ｅＰＤＣＣＨのみを伝送または検出し、Ｌｏｃａｌｉｚｅｄ型に配置されると、ｅＰＤＣＣＨリソースセット内にＬｏｃａｌｉｚｅｄ型ｅＰＤＣＣＨのみを伝送または検出することを意味している。
【００１３】
例えば、３個のリソースセットを配置する場合、
ｅＰＤＣＣＨリソースセット１がＬｏｃａｌｉｚｅｄ型であり、端末がサブフレームＳにすべてのＬｏｃａｌｉｚｅｄ型ｅＰＤＣＣＨリソースセットを検出する場合に対応するＡＬ＝｛１、２、４、８｝であって、
ｅＰＤＣＣＨリソースセット２がＤｉｓｔｒｉｂｕｔｅｄ型であり、端末がサブフレームＳにすべてのＤｉｓｔｒｉｂｕｔｅｄ型ｅＰＤＣＣＨリソースセットを検出する場合に対応するＡＬ＝｛１、２、４、８、１６｝であって、
ｅＰＤＣＣＨリソースセット３がＤｉｓｔｒｉｂｕｔｅｄ型であり、端末がサブフレームＳにすべてのＤｉｓｔｒｉｂｕｔｅｄ型ｅＰＤＣＣＨリソースセットを検出する場合に対応するＡＬ＝｛１、２、４、８、１６｝である。
【００１４】
Ｌｏｃａｌｉｚｅｄ型の場合に対応するＡＬは、Ｌｏｃａｌｉｚｅｄ型ｅＣＣＥに従って集約され、Ｄｉｓｔｒｉｂｕｔｅｄ型の場合に対応するＡＬは、Ｄｉｓｔｒｉｂｕｔｅｄ型ｅＣＣＥに従って集約される。
【００１５】
上述したように、より多くのリソースセットを配置する場合にブラインド検出回数が大幅に増加し、リソースセットの配置個数を制限する。また、総ブラインド検出回数が一定である場合で各ｅＰＤＣＣＨリソースセットにおける各ＡＬブラインド検出回数が少ないので、複数のｅＰＤＣＣＨリソースセットを配置する効果を十分に発揮できなく、ｅＰＤＣＣＨの性能が損失されてしまう。
【発明の概要】
【発明が解決しようとする課題】
【００１６】
これを鑑みて、本発明の実施形態の主な目的は、検出効率を向上させるように、制御シグナリング検出およびシグナリング検出制御方法および装置を提供することである。
【課題を解決するための手段】
【００１７】
上記目的を実現するために、本発明の実施形態の技術的なスキームは、以下のように実現される。
制御シグナリング検出方法は、
サブフレームＳにおいて、端末がＫ個の強化型物理下りリンク制御チャネルｅＰＤＣＣＨリソースセット内に制御シグナリングを検出することと、端末が前記Ｋ個のｅＰＤＣＣＨリソースセットにおけるセットＳｅｔ  ｉにリソースの集約レベルのセットＸ（ｉ）を検出し、ｉが整数で、０＜ｉ＜＝Ｋとすることとを含む。
【００１８】
ここで、Ｋが１より大きい整数である場合、サブフレームＳにおいて、Ｘ（ｉ）がＳｅｔ  ｉのタイプに対応する選択可能なすべての集約レベルＡＬセットにおける連続する一部または全部のＡＬであり、且つ少なくとも１個のＸ（ｉ）が選択可能なすべてのＡＬセットにおける連続する一部のＡＬであり、
サブフレームＳにおいて、集中型Ｌｏｃａｌｉｚｅｄ型ｅＰＤＣＣＨリソースセットに対応する選択可能なＡＬセットが｛１、２、４｝であり、分布型Ｄｉｓｔｒｉｂｕｔｅｄ型ｅＰＤＣＣＨリソースセットに対応する選択可能なＡＬセットが｛１、２、４、８｝であり、
または、サブフレームＳにおいて、Ｌｏｃａｌｉｚｅｄ型ｅＰＤＣＣＨリソースセットに対応する選択可能なＡＬセットが｛１、２、４、８｝であり、Ｄｉｓｔｒｉｂｕｔｅｄ型ｅＰＤＣＣＨリソースセットに対応する選択可能なＡＬセットが｛１、２、４、８、１６｝であり、
または、サブフレームＳにおいて、Ｌｏｃａｌｉｚｅｄ型ｅＰＤＣＣＨリソースセットに対応する選択可能なＡＬセットが｛２、４、８｝であり、Ｄｉｓｔｒｉｂｕｔｅｄ型ｅＰＤＣＣＨリソースセットに対応する選択可能なＡＬセットが｛２、４、８、１６｝であり、
または、サブフレームＳにおいて、Ｌｏｃａｌｉｚｅｄ型ｅＰＤＣＣＨリソースセットに対応する選択可能なＡＬセットが｛２、４、８、１６｝であり、Ｄｉｓｔｒｉｂｕｔｅｄ型ｅＰＤＣＣＨリソースセットに対応する選択可能なＡＬセットが｛２、４、８、１６、３２｝であり、
複数のＳｅｔに対応する検出すべき集約レベルセットに、交差点セットがないまたは１個のＡＬが含まれる交差点セットまたは２個のＡＬが含まれる交差点セットが存在し、
Ｓｅｔに対応するＡＬセットは、下記の表に示される。
【表２０１】
2015534756.tif 000006
【００１９】
ここで、Ｋが１より大きい整数であり、且つ同じタイプのｅＰＤＣＣＨリソースセットが存在する場合、同じｅＰＤＣＣＨリソースセット内のｅＰＤＣＣＨ伝送タイプにおける複数のｅＰＤＣＣＨリソースセットに対応する検出すべき集約セットは、異なり、
同じｅＰＤＣＣＨリソースセットタイプにおける複数のｅＰＤＣＣＨリソースセットに対応する検出すべき集約レベルに、交差点セットがないまたは１個のＡＬが含まれる交差点セットが存在し、
Ｄタイプに対応するＡＬセットにおけるいずれかの集約レベルは、Ｌタイプに対応するＡＬセットにおける最大の集約レベルより以上であり、
２個のｅＰＤＣＣＨリソースセットがＬタイプに属する場合は、次の表に示される。
【表２０２】
2015534756.tif 000007
【００２０】
２個のｅＰＤＣＣＨリソースセットがＤタイプに属する場合は、次の表に示される。
【表２０３】
2015534756.tif 000008
【００２１】
ここで、少なくとも（ａ）Ｓｅｔ  ｉに対応する物理リソースブロックペアＰＲＢ  ｐａｉｒの個数Ｎ、
（ｂ）Ｓｅｔ  ｉのタイプ、
（ｃ）Ｓｅｔ  ｉに含まれるＰＲＢ  ｐａｉｒのＰＲＢインデックスｉｎｄｅｘ、
（ｄ）ｅＰＤＣＣＨリソースセットに対する基地局の集約レベル配置シグナリング、
（ｅ）ｅＰＤＣＣＨリソースセットのｅＰＤＣＣＨ伝送タイプ、
（ｆ）Ｋ値とｅＰＤＣＣＨリソースセットのインデックスｉ、
（ｇ）強化型制御チャネル要素ｅＣＣＥに含まれる強化型リソース要素グループｅＲＥＧの数のうちのうちの一つまたは組合せに基づいてＸ（ｉ）を確定する。
【００２２】
ここで、前記（ａ）〜（ｇ）における複数の組み合わせに基づいてＸ（ｉ）を確定する場合、
少なくともＳｅｔ  ｉに対応するＰＲＢ  ｐａｉｒの個数ＮとｅＣＣＥに含まれるｅＲＥＧの数に基づいてＸ（ｉ）を確定する、または、
少なくともＳｅｔ  ｉに対応するＰＲＢ  ｐａｉｒの個数Ｎの値とｅＣＣＥに含まれるｅＲＥＧの数に基づいてＸ（ｉ）を確定する、または、
少なくともＳｅｔ  ｉのｅＰＤＣＣＨ伝送タイプとｅＣＣＥに含まれるｅＲＥＧの数に基づいてＸ（ｉ）を確定する、または、
少なくともＳｅｔ  ｉに含まれるＰＲＢ  ｐａｉｒのＰＲＢ  ｉｎｄｅｘとｅＣＣＥに含まれるｅＲＥＧの数に基づいてＸ（ｉ）を確定する、または、
少なくとも基地局の集約レベル配置シグナリングとｅＣＣＥに含まれるｅＲＥＧの数に基づいてＸ（ｉ）を確定する、または、
少なくともＳｅｔ  ｉのｅＰＤＣＣＨ伝送タイプ、Ｋ値とｅＰＤＣＣＨリソースセットのインデックスｉおよびｅＣＣＥに含まれるｅＲＥＧの数に基づいてＸ（ｉ）を確定する、または、
少なくともＫ値、ｅＰＤＣＣＨリソースセットのインデックスｉとｅＣＣＥに含まれるｅＲＥＧの数に基づいてＸ（ｉ）を確定する、または、
少なくともＳｅｔ  ｉに対応するＮの値、Ｓｅｔ  ｉのｅＰＤＣＣＨ伝送タイプに基づいてＸ（ｉ）を確定する、または、
少なくともＳｅｔ  ｉに対応するＮの値、およびＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＮの値、およびｅＰＤＣＣＨリソースセットに対する基地局の集約レベル配置シグナリングに基づいてＸ（ｉ）を確定する、または、
少なくともＳｅｔ  ｉに対応するＮの値、Ｋ個のｅＰＤＣＣＨリソースセットのｅＰＤＣＣＨ伝送タイプ、およびＫ値とインデックスｉに基づいてＸ（ｉ）を確定する、または、
少なくともＳｅｔ  ｉに対応するＮの値、Ｋ個のｅＰＤＣＣＨリソースセットのｅＰＤＣＣＨ伝送タイプ、およびインデックスｉに基づいてＸ（ｉ）を確定する、または、
少なくともＳｅｔ  ｉに対応するＮの値、Ｋ値とインデックスｉに基づいてＸ（ｉ）を確定する、または、
少なくともＳｅｔ  ｉに対応するＮの値、Ｋ値とインデックスｉ、およびＳｅｔ  ｉのｅＰＤＣＣＨ伝送タイプとＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＮの値、Ｋ値とインデックスｉ、Ｓｅｔ  ｉのｅＰＤＣＣＨ伝送タイプとｅＰＤＣＣＨリソースセットに対する基地局の集約レベル配置シグナリングに基づいてＸ（ｉ）を確定する、または、
少なくともＫ個のｅＰＤＣＣＨリソースセットのｅＰＤＣＣＨ伝送タイプ、インデックスｉ、Ｓｅｔ  ｉのｅＰＤＣＣＨ伝送タイプとｅＰＤＣＣＨリソースセットに対する基地局の集約レベル配置シグナリングに基づいてＸ（ｉ）を確定する、または、
少なくともＳｅｔ  ｉのｅＰＤＣＣＨ伝送タイプ、インデックスｉとＫ値に基づいてＸ（ｉ）を確定する、または、
少なくともｅＰＤＣＣＨリソースセットに対する基地局の集約レベル配置シグナリング、Ｓｅｔ  ｉに含まれるＰＲＢ  ｐａｉｒのＰＲＢ  ｉｎｄｅｘに基づいてＸ（ｉ）を確定する、または、
少なくともＳｅｔ  ｉに含まれるＰＲＢ  ｐａｉｒのＰＲＢ  ｉｎｄｅｘ、インデックスｉ、Ｋ個のｅＰＤＣＣＨリソースセットのｅＰＤＣＣＨ伝送タイプに基づいてＸ（ｉ）を確定する、または、
少なくともＳｅｔ  ｉに含まれるＰＲＢ  ｐａｉｒのＰＲＢ  ｉｎｄｅｘ、Ｋ値とインデックスｉ基づいてＸ（ｉ）を確定する、または、
少なくともｅＰＤＣＣＨリソースセットに対する基地局の集約レベル配置シグナリング、Ｋ個のｅＰＤＣＣＨリソースセットのｅＰＤＣＣＨ伝送タイプとインデックスｉに基づいてＸ（ｉ）を確定する、または、
少なくともｅＰＤＣＣＨリソースセットに対する基地局の集約レベル配置シグナリング、Ｋ値とインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとｅＰＤＣＣＨリソースセットに対する基地局の集約レベル配置シグナリングに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＫ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＫ個のｅＰＤＣＣＨリソースセットのｅＰＤＣＣＨ伝送タイプおよびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＳｅｔ  ｉに含まれるＰＲＢ  ｐａｉｒのＰＲＢ  ｉｎｄｅｘ、およびｅＰＤＣＣＨリソースセットに対する基地局の集約レベル配置シグナリングに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、Ｋ個のｅＰＤＣＣＨリソースセットのｅＰＤＣＣＨ伝送タイプおよびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、Ｋ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、ｅＰＤＣＣＨリソースセットに対する基地局の集約レベル配置シグナリング、Ｋ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、Ｋ個のｅＰＤＣＣＨリソースセットのｅＰＤＣＣＨ伝送タイプ、Ｋ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、ｅＰＤＣＣＨリソースセットに対する基地局の集約レベル配置シグナリング、Ｋ個のｅＰＤＣＣＨリソースセットのｅＰＤＣＣＨ伝送タイプ、Ｋ値およびインデックスｉに基づいてＸ（ｉ）を確定する。
【００２３】
ここで、Ｘ（ｉ）を確定する場合に、ｅＣＣＥに含まれるｅＲＥＧの個数と組み合わせる、または、
Ｘ（ｉ）を確定する場合に、検出すべきＤＣＩフォーマット（ｆｏｒｍａｔ）と組み合わせる、または、
Ｘ（ｉ）を確定する場合に、サブフレームタイプおよび／またはサブフレームＳにおける伝送のための検出すべきＤＣＩ  フォーマットに対応する符号化レート、サブフレームＳにおけるＰＲＢ  ｐａｉｒ内のｅＰＤＣＣＨを伝送するために利用可能なリソース要素ＲＥの数、サブフレームＳにおけるｅＣＣＥ内のｅＰＤＣＣＨを伝送するために利用可能なＲＥの数のうちの１個と組み合わせる。
【００２４】
制御シグナリング検出装置は、
サブフレームＳにおいて、Ｋ個のｅＰＤＣＣＨリソースセット内に制御シグナリングを検出し、前記Ｋ個のｅＰＤＣＣＨリソースセットにおけるセットＳｅｔ  ｉにリソースの集約レベルのセットＸ（ｉ）を検出し、ｉが整数で、０＜ｉ＜＝Ｋとするように構成される。
【００２５】
ここで、Ｋが１より大きい整数である場合、サブフレームＳにおいて、Ｘ（ｉ）がＳｅｔ  ｉのタイプに対応する選択可能なすべての集約レベルＡＬセットにおける連続する一部または全部のＡＬであり、且つ少なくとも１個のＸ（ｉ）が選択可能なすべてのＡＬセットにおける連続する一部のＡＬであり、
サブフレームＳにおいて、Ｌｏｃａｌｉｚｅｄ型ｅＰＤＣＣＨリソースセットに対応する選択可能なＡＬセットが｛１、２、４｝であり、Ｄｉｓｔｒｉｂｕｔｅｄ型ｅＰＤＣＣＨリソースセットに対応する選択可能なＡＬセットが｛１、２、４、８｝である、
または、サブフレームＳにおいて、Ｌｏｃａｌｉｚｅｄ型ｅＰＤＣＣＨリソースセットに対応する選択可能なＡＬセットが｛１、２、４、８｝であり、Ｄｉｓｔｒｉｂｕｔｅｄ型ｅＰＤＣＣＨリソースセットに対応する選択可能なＡＬセットが｛１、２、４、８、１６｝である、
または、サブフレームＳにおいて、Ｌｏｃａｌｉｚｅｄ型ｅＰＤＣＣＨリソースセットに対応する選択可能なＡＬセットが｛２、４、８｝であり、Ｄｉｓｔｒｉｂｕｔｅｄ型ｅＰＤＣＣＨリソースセットに対応する選択可能なＡＬセットが｛２、４、８、１６｝である、
または、サブフレームＳにおいて、Ｌｏｃａｌｉｚｅｄ型ｅＰＤＣＣＨリソースセットに対応する選択可能なＡＬセットが｛２、４、８、１６｝であり、Ｄｉｓｔｒｉｂｕｔｅｄ型ｅＰＤＣＣＨリソースセットに対応する選択可能なＡＬセットが｛２、４、８、１６、３２｝であり、
複数のＳｅｔに対応する検出すべき集約レベルセットに、交差点セットがないまたは１個のＡＬが含まれる交差点セットまたは２個のＡＬが含まれる交差点セットが存在し、
セットに対応するＡＬセットは、下記の表に示される。
【表２０４】
2015534756.tif 000009
【００２６】
ここで、Ｋが１より大きい整数であり、且つ同じタイプのｅＰＤＣＣＨリソースセットが存在する場合、同じｅＰＤＣＣＨリソースセット内のｅＰＤＣＣＨ伝送タイプにおける複数のｅＰＤＣＣＨリソースセットに対応する検出すべき集約セットは、異なり、
同じｅＰＤＣＣＨリソースセットタイプにおける複数のｅＰＤＣＣＨリソースセットに対応する検出すべき集約レベルに、交差点セットがないまたは１個のＡＬが含まれる交差点セットが存在し、
Ｄタイプに対応するＡＬセットにおけるいずれかの集約レベルは、Ｌタイプに対応するＡＬセットにおける最大の集約レベルより以上であり、
２個のｅＰＤＣＣＨリソースセットがＬタイプに属する場合は、次の表に示される。
【表２０５】
2015534756.tif 000010
【００２７】
２個のｅＰＤＣＣＨリソースセットがＤタイプに属する場合は、次の表に示される。
【表２０６】
2015534756.tif 000011
【００２８】
ここで、前記装置は、少なくとも、
（ａ）Ｓｅｔ  ｉに対応する物理リソースブロックペアＰＲＢ  ｐａｉｒの個数Ｎ、
（ｂ）Ｓｅｔ  ｉのタイプ、
（ｃ）Ｓｅｔ  ｉに含まれるＰＲＢ  ｐａｉｒのＰＲＢインデックスｉｎｄｅｘ、
（ｄ）ｅＰＤＣＣＨリソースセットに対する基地局の集約レベル配置シグナリング、
（ｅ）ｅＰＤＣＣＨリソースセットのｅＰＤＣＣＨ伝送タイプ、
（ｆ）Ｋ値とｅＰＤＣＣＨリソースセットのインデックスｉ、
（ｇ）ｅＣＣＥに含まれるｅＲＥＧの数のうちの一つのまたは組合せに基づいてＸ（ｉ）を確定するように構成される。
【００２９】
ここで、前記装置は、前記（ａ）〜（ｇ）における複数の組み合わせに基づいてＸ（ｉ）を確定する場合に、
少なくともＳｅｔ  ｉに対応するＰＲＢ  ｐａｉｒの個数ＮとｅＣＣＥに含まれるｅＲＥＧの数に基づいてＸ（ｉ）を確定する、または、
少なくともＳｅｔ  ｉに対応するＰＲＢ  ｐａｉｒの個数Ｎの値とｅＣＣＥに含まれるｅＲＥＧの数に基づいてＸ（ｉ）を確定する、または、
少なくともＳｅｔ  ｉのｅＰＤＣＣＨ伝送タイプとｅＣＣＥに含まれるｅＲＥＧの数に基づいてＸ（ｉ）を確定する、または、
少なくともＳｅｔ  ｉに含まれるＰＲＢ  ｐａｉｒのＰＲＢ  ｉｎｄｅｘとｅＣＣＥに含まれるｅＲＥＧの数に基づいてＸ（ｉ）を確定する、または、
少なくとも基地局の集約レベル配置シグナリングとｅＣＣＥに含まれるｅＲＥＧの数に基づいてＸ（ｉ）を確定する、または、
少なくともＳｅｔ  ｉのｅＰＤＣＣＨ伝送タイプ、Ｋ値とｅＰＤＣＣＨリソースセットのインデックスｉおよびｅＣＣＥに含まれるｅＲＥＧの数に基づいてＸ（ｉ）を確定する、または、
少なくともＫ値、ｅＰＤＣＣＨリソースセットのインデックスｉとｅＣＣＥに含まれるｅＲＥＧの数に基づいてＸ（ｉ）を確定する、または、
少なくともＳｅｔ  ｉに対応するＮの値、Ｓｅｔ  ｉのｅＰＤＣＣＨ伝送タイプに基づいてＸ（ｉ）を確定する、または、
少なくともＳｅｔ  ｉに対応するＮの値、およびＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＮの値、およびｅＰＤＣＣＨリソースセットに対する基地局の集約レベル配置シグナリングに基づいてＸ（ｉ）を確定する、または、
少なくともＳｅｔ  ｉに対応するＮの値、Ｋ個のｅＰＤＣＣＨリソースセットのｅＰＤＣＣＨ伝送タイプ、およびＫ値とインデックスｉに基づいてＸ（ｉ）を確定する、または、
少なくともＳｅｔ  ｉに対応するＮの値、Ｋ個のｅＰＤＣＣＨリソースセットのｅＰＤＣＣＨ伝送タイプ、およびインデックスｉに基づいてＸ（ｉ）を確定する、または、
少なくともＳｅｔ  ｉに対応するＮの値、Ｋ値とインデックスｉに基づいてＸ（ｉ）を確定する、または、
少なくともＳｅｔ  ｉに対応するＮの値、Ｋ値とインデックスｉ、およびＳｅｔ  ｉのｅＰＤＣＣＨ伝送タイプとＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＮの値、Ｋ値とインデックスｉ、Ｓｅｔ  ｉのｅＰＤＣＣＨ伝送タイプとｅＰＤＣＣＨリソースセットに対する基地局の集約レベル配置シグナリングに基づいてＸ（ｉ）を確定する、または、
少なくともＫ個のｅＰＤＣＣＨリソースセットのｅＰＤＣＣＨ伝送タイプ、インデックスｉ、Ｓｅｔ  ｉのｅＰＤＣＣＨ伝送タイプとｅＰＤＣＣＨリソースセットに対する基地局の集約レベル配置シグナリングに基づいてＸ（ｉ）を確定する、または、
少なくともＳｅｔ  ｉのｅＰＤＣＣＨ伝送タイプ、インデックスｉとＫ値に基づいてＸ（ｉ）を確定する、または、
少なくともｅＰＤＣＣＨリソースセットに対する基地局の集約レベル配置シグナリング、Ｓｅｔ  ｉに含まれるＰＲＢ  ｐａｉｒのＰＲＢ  ｉｎｄｅｘに基づいてＸ（ｉ）を確定する、または、
少なくともＳｅｔ  ｉに含まれるＰＲＢ  ｐａｉｒのＰＲＢ  ｉｎｄｅｘ、インデックスｉ、Ｋ個のｅＰＤＣＣＨリソースセットのｅＰＤＣＣＨ伝送タイプに基づいてＸ（ｉ）を確定する、または、
少なくともＳｅｔ  ｉに含まれるＰＲＢ  ｐａｉｒのＰＲＢ  ｉｎｄｅｘ、Ｋ値とインデックスｉ基づいてＸ（ｉ）を確定する、または、
少なくともｅＰＤＣＣＨリソースセットに対する基地局の集約レベル配置シグナリング、Ｋ個のｅＰＤＣＣＨリソースセットのｅＰＤＣＣＨ伝送タイプとインデックスｉに基づいてＸ（ｉ）を確定する、または、
少なくともｅＰＤＣＣＨリソースセットに対する基地局の集約レベル配置シグナリング、Ｋ値とインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとｅＰＤＣＣＨリソースセットに対する基地局の集約レベル配置シグナリングに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＫ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＫ個のｅＰＤＣＣＨリソースセットのｅＰＤＣＣＨ伝送タイプおよびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとＳｅｔ  ｉに含まれるＰＲＢ  ｐａｉｒのＰＲＢ  ｉｎｄｅｘ、およびｅＰＤＣＣＨリソースセットに対する基地局の集約レベル配置シグナリングに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、Ｋ個のｅＰＤＣＣＨリソースセットのｅＰＤＣＣＨ伝送タイプおよびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、Ｋ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、ｅＰＤＣＣＨリソースセットに対する基地局の集約レベル配置シグナリング、Ｋ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、Ｋ個のｅＰＤＣＣＨリソースセットのｅＰＤＣＣＨ伝送タイプ、Ｋ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ、Ｓｅｔ  ｉに含まれるＰＲＢ  ｐａｉｒのＰＲＢ  ｉｎｄｅｘ、ｅＰＤＣＣＨリソースセットに対する基地局の集約レベル配置シグナリング、Ｋ個のｅＰＤＣＣＨリソースセットのｅＰＤＣＣＨ伝送タイプ、Ｋ値およびインデックスｉに基づいてＸ（ｉ）を確定するように構成される。
【００３０】
ここで、前記装置は、
Ｘ（ｉ）を確定する場合に、ｅＣＣＥに含まれるｅＲＥＧの個数と組み合わせる、または、
Ｘ（ｉ）を確定する場合に、検出すべきＤＣＩフォーマット（ｆｏｒｍａｔ）と組み合わせる、または、
Ｘ（ｉ）を確定する場合に、サブフレームタイプおよび／またはサブフレームＳにおける伝送のための検出すべきＤＣＩ  フォーマットに対応する符号化レート、サブフレームＳにおけるＰＲＢ  ｐａｉｒ内のｅＰＤＣＣＨを伝送するために利用可能なリソース要素ＲＥの数、サブフレームＳにおけるｅＣＣＥ内のｅＰＤＣＣＨを伝送するために利用可能なＲＥの数のうちの１個と組み合わせるように構成される。
【００３１】
ここで、前記装置は、端末である。
シグナリング検出制御方法は、
基地局がシグナリングによりＫ個のｅＰＤＣＣＨリソースセットＳｅｔ  ｉに対応する検出すべきＡＬの情報を通知することを含む。
【００３２】
ここで、基地局は、Ｋ値、Ｋ個のＳｅｔに対応するＰＲＢ  ｐａｉｒの個数Ｎの値と各Ｓｅｔの検出すべきＡＬ情報を共同で符号化し、通知する、または、
基地局は、Ｋ値、Ｋ個のＳｅｔのＤ／Ｌタイプと各Ｓｅｔの検出すべきＡＬ情報を共同で符号化し、通知する、または、
基地局は、Ｋ値、Ｋ個のＳｅｔのＤ／Ｌタイプ、Ｋ個のＳｅｔに対応するＰＲＢ  ｐａｉｒの個数Ｎの値と各Ｓｅｔの検出すべきＡＬ情報を共同で符号化し、通知する。
ここで、前記サブフレームＳは、２種類があり、それぞれ第一種類のサブフレームと第二種類のサブフレームであり、この２種類のサブフレームに対して前記通知を独立的に行い、前記第一のサブフレームが１個のｅＣＣＥに４個のｅＲＥＧを含むサブフレームであり、前記第二のサブフレームが１個のｅＣＣＥに８個のｅＲＥＧを含むサブフレームである。
【００３３】
ここで、当該方法は、さらに、
基地局がＳｅｔ  ｉに対応するＰＲＢ  ｐａｉｒの個数Ｎの値と検出すべきＡＬ情報を共同で符号化し、通知すること、または、
基地局がＳｅｔ  ｉのＤ／Ｌタイプと検出すべきＡＬ情報を共同で符号化し、通知すること、または、
基地局がＳｅｔ  ｉのＤ／Ｌタイプ、Ｓｅｔ  ｉに対応するＰＲＢ  ｐａｉｒの個数Ｎの値と検出すべきＡＬ情報を共同で符号化し、通知することを含む。
【００３４】
シグナリング検出制御装置は、
シグナリングによりＫ個のｅＰＤＣＣＨリソースセットＳｅｔ  ｉに対応する検出すべきＡＬの情報を通知するように構成される。
【００３５】
ここで、前記装置は、
Ｋ値、Ｋ個のＳｅｔに対応するＰＲＢ  ｐａｉｒの個数Ｎの値と各Ｓｅｔの検出すべきＡＬ情報を共同で符号化し、通知する、または、
Ｋ値、Ｋ個のＳｅｔのＤ／Ｌタイプと各Ｓｅｔの検出すべきＡＬ情報を共同で符号化し、通知する、または、
Ｋ値、Ｋ個のＳｅｔのＤ／Ｌタイプ、Ｋ個のＳｅｔに対応するＰＲＢ  ｐａｉｒの個数Ｎの値と各Ｓｅｔの検出すべきＡＬ情報を共同で符号化し、通知するように構成される。
【００３６】
ここで、検出すべきＡＬは、ｅＣＣＥに関連し、前記ｅＣＣＥが４個のｅＲＥＧまたは８個のｅＲＥＧを含む。
【００３７】
ここで、当該装置は、さらに、
Ｓｅｔ  ｉに対応するＰＲＢ  ｐａｉｒの個数Ｎの値と検出すべきＡＬ情報を共同で符号化し、通知する、または、
Ｓｅｔ  ｉのＤ／Ｌタイプと検出すべきＡＬ情報を共同で符号化し、通知する、または、
Ｓｅｔ  ｉのＤ／Ｌタイプ、Ｓｅｔ  ｉに対応するＰＲＢ  ｐａｉｒの個数Ｎの値と検出すべきＡＬ情報を共同で符号化し、通知するように構成される。
【００３８】
本発明の実施形態により、各ｅＰＤＣＣＨ  ｒｅｓｏｕｒｃｅ  ｓｅｔの検出がよりターゲットを絞るようになり、不合理な集約レベル検出を避けて、検出効率を向上させる。
【図面の簡単な説明】
【００３９】
【図１】古いリリースと新しいリリースにおける制御シグナリング領域を示す図である；
【図２】Ｄ−ｅＣＣＥの構成を示す図である；
【図３】Ｌ−ｅＣＣＥの構成を示す図である；
【図４】本発明の実施形態のＰＲＢにおけるすべてのＰＲＢインデックス（Ｉｎｄｅｘ）が連続しない場合の構成を示す図である；
【図５】本発明の実施形態のＰＲＢにおけるＰＲＢ  Ｉｎｄｅｘが２個ごとに連続する場合の構成を示す図である；
【図６】本発明の実施形態における制御シグナリング検出プロセスを示す図である。
【発明を実施するための形態】
【００４０】
実際に応用する場合、サブフレームＳにおいて、端末は、Ｋ個のｅＰＤＣＣＨリソースセット内に制御シグナリングを検出することができ、端末は、さらに前記Ｋ個のｅＰＤＣＣＨリソースセットにおけるｅＰＤＣＣＨリソースセットＳｅｔ  ｉに、対応するリソースの集約レベル（ＡＬ：Ａｇｇｒｅｇａｔｉｏｎ  Ｌｅｖｅｌ）セットＸ（ｉ）に含まれる集約レベルに従って制御シグナリングを検出することができ、その中ｉが整数であり、且つ０＜ｉ＜＝Ｋである。前記Ｋ個のｅＰＤＣＣＨリソースセットは、通常、基地局により端末に配置される。
【００４１】
具体的には、Ｋが１より大きい整数である場合、サブフレームＳにおいて、Ｘ（ｉ）がＳｅｔ  ｉのタイプ（ＬｏｃａｌｉｚｅｄまたはＤｉｓｔｒｉｂｕｔｅｄ）に対応する選択可能なすべてのＡＬセットにおける連続する一部または全部のＡＬであり、且つ少なくとも１個のＸ（ｉ）は、選択可能なすべてのＡＬセットにおける連続する連続一部のＡＬである。
【００４２】
さらに、サブフレームＳにおいて、Ｌｏｃａｌｉｚｅｄ型ｅＰＤＣＣＨリソースセットに対応する選択可能なＡＬセットが｛１、２、４｝であり、Ｄｉｓｔｒｉｂｕｔｅｄ型ｅＰＤＣＣＨリソースセットに対応する選択可能なＡＬセットが｛１、２、４、８｝である、
または、サブフレームＳにおいて、Ｌｏｃａｌｉｚｅｄ型ｅＰＤＣＣＨリソースセットに対応する選択可能なＡＬセットが｛１、２、４、８｝であり、Ｄｉｓｔｒｉｂｕｔｅｄ型ｅＰＤＣＣＨリソースセットに対応する選択可能なＡＬセットが｛１、２、４、８、１６｝であり、
または、サブフレームＳにおいて、Ｌｏｃａｌｉｚｅｄ型ｅＰＤＣＣＨリソースセットに対応する選択可能なＡＬセットが｛２、４、８｝であり、Ｄｉｓｔｒｉｂｕｔｅｄ型ｅＰＤＣＣＨリソースセットに対応する選択可能なＡＬセットが｛２、４、８、１６｝であり、
または、サブフレームＳにおいて、Ｌｏｃａｌｉｚｅｄ型ｅＰＤＣＣＨリソースセットに対応する選択可能なＡＬセットが｛２、４、８、１６｝であり、Ｄｉｓｔｒｉｂｕｔｅｄ型ｅＰＤＣＣＨリソースセットに対応する選択可能なＡＬセットが｛２、４、８、１６、３２｝である。
【００４３】
さらに、複数のＳｅｔに対応する検出すべき集約レベルセットに、交差点セットがないまたは１個のＡＬが含まれる交差点セットまたは２つのＡＬが含まれる交差点セットが存在する。
さらに、
【表５】
2015534756.tif 000012
【００４４】
Ｋが１より大きい整数であり、且つ同じタイプ（ＬタイプまたはＤタイプ）のｅＰＤＣＣＨリソースセットが存在し、同じｅＰＤＣＣＨリソースセット内のｅＰＤＣＣＨ伝送タイプ（ＬタイプまたはＤタイプ）における複数のｅＰＤＣＣＨリソースセットに対応する検出すべき集約レベルが異なる。
【００４５】
さらに、同じｅＰＤＣＣＨリソースセットタイプ（ＬタイプまたはＤタイプ）における複数のｅＰＤＣＣＨリソースセットに対応する検出すべき集約レベルに、交差点セットがないまたは１個のＡＬが含まれる交差点セットが存在する。
【００４６】
さらに、Ｄタイプに対応するＡＬセットにおけるいずれかの集約レベルがＬタイプに対応するＡＬセットにおける最大の集約レベルより以上である。
【００４７】
さらに、２つのｅＰＤＣＣＨリソースセットがＬタイプに属する場合に対して、
【表６】
2015534756.tif 000013
【００４８】
さらに、２つのｅＰＤＣＣＨリソースセットがＤタイプに属する場合に対して、
【表７】
2015534756.tif 000014
【００４９】
少なくとも（ａ）Ｓｅｔ  ｉに対応するＰＲＢ  ｐａｉｒの個数Ｎ、
（ｂ）Ｓｅｔ  ｉのタイプ（ＬタイプまたはＤタイプ）、
（ｃ）Ｓｅｔ  ｉに含まれるＰＲＢ  ｐａｉｒのＰＲＢインデックスｉｎｄｅｘ、
（ｄ）ｅＰＤＣＣＨリソースセットに対する基地局の集約レベル配置シグナリング、
（ｅ）ｅＰＤＣＣＨリソースセットのｅＰＤＣＣＨ伝送タイプ、
（ｆ）Ｋ値とｅＰＤＣＣＨリソースセットのインデックスｉ、
（ｇ）ｅＣＣＥに含まれるｅＲＥＧの数、
（ｈ）検出されるＤＣＩ（Ｆｏｒｍａｔ）のうちの一つに基づいてＸ（ｉ）を確定することができる。
【００５０】
当然、（ａ）〜（ｇ）における複数の組み合わせに基づいてＸ（ｉ）を確定することができる。例えば、
少なくともＳｅｔ  ｉに対応するＰＲＢ  ｐａｉｒの個数ＮとｅＣＣＥに含まれるｅＲＥＧの数に基づいてＸ（ｉ）を確定する、または、
少なくともＳｅｔ  ｉに対応するＰＲＢ  ｐａｉｒの個数Ｎの値とｅＣＣＥに含まれるｅＲＥＧの数に基づいてＸ（ｉ）を確定する、または、
少なくともＳｅｔ  ｉのｅＰＤＣＣＨ伝送タイプ（ＬタイプまたはＤタイプ）とｅＣＣＥに含まれるｅＲＥＧの数に基づいてＸ（ｉ）を確定する、または、
少なくともＳｅｔ  ｉに含まれるＰＲＢ  ｐａｉｒのＰＲＢ  ｉｎｄｅｘとｅＣＣＥに含まれるｅＲＥＧの数に基づいてＸ（ｉ）を確定する、または、
少なくとも基地局の集約レベル配置シグナリングとｅＣＣＥに含まれるｅＲＥＧの数に基づいてＸ（ｉ）を確定する、または、
少なくともＳｅｔ  ｉのｅＰＤＣＣＨ伝送タイプ（ＬタイプまたはＤタイプ）、Ｋ値とｅＰＤＣＣＨリソースセットのインデックスｉおよびｅＣＣＥに含まれるｅＲＥＧの数に基づいてＸ（ｉ）を確定する、または、
少なくともＫ値、ｅＰＤＣＣＨリソースセットのインデックスｉとｅＣＣＥに含まれるｅＲＥＧの数に基づいてＸ（ｉ）を確定する、または、
少なくともＳｅｔ  ｉに対応するＮの値、Ｓｅｔ  ｉのｅＰＤＣＣＨ伝送タイプ（ＬタイプまたはＤタイプ）に基づいてＸ（ｉ）を確定する、または、
少なくともＳｅｔ  ｉに対応するＮの値、およびＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＮの値、およびｅＰＤＣＣＨリソースセットに対する基地局の集約レベル配置シグナリングに基づいてＸ（ｉ）を確定する、または、
少なくともＳｅｔ  ｉに対応するＮの値、Ｋ個のｅＰＤＣＣＨリソースセットのｅＰＤＣＣＨ伝送タイプ、およびＫ値とインデックスｉに基づいてＸ（ｉ）を確定する、または、
少なくともＳｅｔ  ｉに対応するＮの値、Ｋ個のｅＰＤＣＣＨリソースセットのｅＰＤＣＣＨ伝送タイプ、およびインデックスｉに基づいてＸ（ｉ）を確定する、または、
少なくともＳｅｔ  ｉに対応するＮの値、Ｋ値とインデックスｉに基づいてＸ（ｉ）を確定する、または、
少なくともＳｅｔ  ｉに対応するＮの値、Ｋ値とインデックスｉ、およびＳｅｔ  ｉのｅＰＤＣＣＨ伝送タイプ（ＬタイプまたはＤタイプ）とＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＮの値、Ｋ値とインデックスｉ、Ｓｅｔ  ｉのｅＰＤＣＣＨ伝送タイプとｅＰＤＣＣＨリソースセットに対する基地局の集約レベル配置シグナリングに基づいてＸ（ｉ）を確定する、または、
少なくともＫ個のｅＰＤＣＣＨリソースセットのｅＰＤＣＣＨ伝送タイプ、インデックスｉ、Ｓｅｔ  ｉのｅＰＤＣＣＨ伝送タイプ（ＬタイプまたはＤタイプ）とｅＰＤＣＣＨリソースセットに対する基地局の集約レベル配置シグナリングに基づいてＸ（ｉ）を確定する、または、
少なくともＳｅｔ  ｉのｅＰＤＣＣＨ伝送タイプ（ＬタイプまたはＤタイプ）、インデックスｉとＫ値に基づいてＸ（ｉ）を確定する、または、
少なくともｅＰＤＣＣＨリソースセットに対する基地局の集約レベル配置シグナリング、Ｓｅｔ  ｉに含まれるＰＲＢ  ｐａｉｒのＰＲＢ  ｉｎｄｅｘに基づいてＸ（ｉ）を確定する、または、
少なくともＳｅｔ  ｉに含まれるＰＲＢ  ｐａｉｒのＰＲＢ  ｉｎｄｅｘ、インデックスｉ、Ｋ個のｅＰＤＣＣＨリソースセットのｅＰＤＣＣＨ伝送タイプに基づいてＸ（ｉ）を確定する、または、
少なくともＳｅｔ  ｉに含まれるＰＲＢ  ｐａｉｒのＰＲＢ  ｉｎｄｅｘ、Ｋ値とインデックスｉ基づいてＸ（ｉ）を確定する、または、
少なくともｅＰＤＣＣＨリソースセットに対する基地局の集約レベル配置シグナリング、Ｋ個のｅＰＤＣＣＨリソースセットのｅＰＤＣＣＨ伝送タイプとインデックスｉに基づいてＸ（ｉ）を確定する、または、
少なくともｅＰＤＣＣＨリソースセットに対する基地局の集約レベル配置シグナリング、Ｋ値とインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ（ＬタイプまたはＤタイプ）とＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプとｅＰＤＣＣＨリソースセットに対する基地局の集約レベル配置シグナリングに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ（ＬタイプまたはＤタイプ）とＫ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ（ＬタイプまたはＤタイプ）とＫ個のｅＰＤＣＣＨリソースセットのｅＰＤＣＣＨ伝送タイプおよびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ（ＬタイプまたはＤタイプ）とＳｅｔ  ｉに含まれるＰＲＢ  ｐａｉｒのＰＲＢ  ｉｎｄｅｘに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ（ＬタイプまたはＤタイプ）とＳｅｔ  ｉに含まれるＰＲＢ  ｐａｉｒのＰＲＢ  ｉｎｄｅｘ、およびｅＰＤＣＣＨリソースセットに対する基地局の集約レベル配置シグナリングに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ（ＬタイプまたはＤタイプ）、Ｓｅｔ  ｉに含まれるＰＲＢ  ｐａｉｒのＰＲＢ  ｉｎｄｅｘ、Ｋ個のｅＰＤＣＣＨリソースセットのｅＰＤＣＣＨ伝送タイプおよびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ（ＬタイプまたはＤタイプ）、Ｓｅｔ  ｉに含まれるＰＲＢ  ｐａｉｒのＰＲＢ  ｉｎｄｅｘ、Ｋ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ（ＬタイプまたはＤタイプ）、Ｓｅｔ  ｉに含まれるＰＲＢ  ｐａｉｒのＰＲＢ  ｉｎｄｅｘ、ｅＰＤＣＣＨリソースセットに対する基地局の集約レベル配置シグナリング、Ｋ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ（ＬタイプまたはＤタイプ）、Ｓｅｔ  ｉに含まれるＰＲＢ  ｐａｉｒのＰＲＢ  ｉｎｄｅｘ、Ｋ個のｅＰＤＣＣＨリソースセットのｅＰＤＣＣＨ伝送タイプ、Ｋ値およびインデックスｉに基づいてＸ（ｉ）を確定する、または、
少なくともＳｅｔ  ｉに対応するＰＲＢ  ｐａｉｒの個数Ｎの値、Ｓｅｔ  ｉのｅＰＤＣＣＨ伝送タイプ（ＬタイプまたはＤタイプ）、Ｓｅｔ  ｉに含まれるＰＲＢ  ｐａｉｒのＰＲＢ  ｉｎｄｅｘ、ｅＰＤＣＣＨリソースセットに対する基地局の集約レベル配置シグナリング、Ｋ値およびインデックスｉに基づいてＸ（ｉ）を確定する。
【００５１】
Ｘ（ｉ）を確定する場合に、ｅＣＣＥに含まれるｅＲＥＧの個数と組み合わせることができる、または、
Ｘ（ｉ）を確定する場合に、検出すべきＤＣＩフォーマット（Ｆｏｒｍａｔ）と組み合わせることができる、または、
Ｘ（ｉ）を確定する場合に、サブフレームタイプおよび／またはサブフレームＳにおける伝送のための検出すべきＤＣＩ  フォーマットに対応する符号化レート、サブフレームＳにおけるＰＲＢ  ｐａｉｒ内のｅＰＤＣＣＨを伝送するために利用可能なリソース要素ＲＥの数、サブフレームＳにおけるｅＣＣＥ内のｅＰＤＣＣＨを伝送するために利用可能なＲＥの数のうちの一つと組み合わせることができる。
【００５２】
以下に具体的な実施形態で本発明を詳しく説明する。
実施形態１：前記（ａ）、（ｂ）に基づいてＸ（ｉ）を確定し、
サブフレームＳにおいて、基地局は、端末にＫ個のｅＰＤＣＣＨリソースセットを配置し、例えばＫが２である場合にｅＰＤＣＣＨリソースセットがＳｅｔ１、Ｓｅｔ２を含み、各ＳｅｔにＮ個のＰＲＢ  ｐａｉｒが含まれ、その中、
Ｓｅｔ１がＮ１個のＰＲＢ  ｐａｉｒを含み、Ｓｅｔ２がＮ２個のＰＲＢ  ｐａｉｒを含み、Ｓｅｔ１がＬｏｃａｌｉｚｅｄ型またはＤｉｓｔｒｉｂｕｔｅｄ型に配置されることができ、Ｓｅｔ２がＬｏｃａｌｉｚｅｄ型またはＤｉｓｔｒｉｂｕｔｅｄ型に配置されることもできる。
【００５３】
表１に示すように、異なるサブフレームと異なる利用可能なｅＰＤＣＣＨ伝送のためのＲＥの数は、Ｌｏｃａｌｉｚｅｄ型またはＤｉｓｔｒｉｂｕｔｅｄ型のｅＰＤＣＣＨリソースセットの変化が発生するが、同じサブフレームに対して固定される。
【表８】
2015534756.tif 000015
【００５４】
Ｌｏｃａｌｉｚｅｄ型伝送とＤｉｓｔｒｉｂｕｔｅｄ型伝送に対応する選択可能な集約レベルセットは、次の表であると仮定される。
【表９】
2015534756.tif 000016
【００５５】
端末は、ｅＰＤＣＣＨリソースセットのＬｏｃａｌｉｚｅｄ型／Ｄｉｓｔｒｉｂｕｔｅｄ型配置とＰＲＢの数Ｎに基づいて検出すべき集約レベルを確定し、基準が次の通りである。
【表１０】
2015534756.tif 000017
【００５６】
または、サブフレームタイプと利用可能なＲＥに起因すると仮定すると、ｅＰＤＣＣＨリソースセットを次の表として仮定する。
【表１１】
2015534756.tif 000018
【００５７】
端末は、ｅＰＤＣＣＨリソースセットのＬｏｃａｌｉｚｅｄ型／Ｄｉｓｔｒｉｂｕｔｅｄ型配置とＰＲＢの数Ｎに基づいて検出すべき集約レベルを確定し、基準が次の通りである。
【表１２】
2015534756.tif 000019
【００５８】
端末は、ＰＲＢの数ＮとｅＰＤＣＣＨリソースセットタイプに基づいて検出すべき集約レベルを確定した後、対応するｅＰＤＣＣＨリソースセットに検出すべき集約レベルを検出する。
【００５９】
上記の方法は、基地局がＳｅｔ  ｉに対応するＰＲＢ  ｐａｉｒの個数Ｎの情報、Ｓｅｔ  ｉのタイプ（Ｌタイプまたはタイプ）、およびＳｅｔ  ｉの検出すべき集約レベル情報を共同で符号化し、通知すると同等で説明されることができる。
【００６０】
実施形態２：前記（ａ）、（ｂ）に基づいてＸ（ｉ）を確定し、
サブフレームＳにおいて、基地局は、端末にＫ個のｅＰＤＣＣＨリソースセットを配置し、例えばＫが２である場合、
Ｓｅｔ１がＮ１個のＰＲＢ  ｐａｉｒを含み、Ｓｅｔ２がＮ２個のＰＲＢ  ｐａｉｒを含み、Ｓｅｔ１がＬｏｃａｌｉｚｅｄ型またはＤｉｓｔｒｉｂｕｔｅｄ型に配置されることができ、Ｓｅｔ２がＬｏｃａｌｉｚｅｄ型またはＤｉｓｔｒｉｂｕｔｅｄ型に配置されることもできる。
【００６１】
次の表に示すように、異なるサブフレームと異なる利用可能なｅＰＤＣＣＨ伝送のためのＲＥの数は、Ｌｏｃａｌｉｚｅｄ型またはＤｉｓｔｒｉｂｕｔｅｄ型のｅＰＤＣＣＨリソースセットの変化が発生するが、同じサブフレームに対して固定される。
【表１３】
2015534756.tif 000020
【００６２】
ｅＰＤＣＣＨリソースセットを次の表として仮定する。
【表１４】
2015534756.tif 000021
【００６３】
端末は、ｅＰＤＣＣＨリソースセットのＬｏｃａｌｉｚｅｄ型／Ｄｉｓｔｒｉｂｕｔｅｄ型配置とＰＲＢの数Ｎに基づいて検出すべき集約レベルを確定し、基準が次の通りである。
【表１５】
2015534756.tif 000022
【００６４】
または、サブフレームタイプと利用可能なＲＥの理由に起因すると仮定すると、ｅＰＤＣＣＨリソースセットが次の表通りである。
【表１６】
2015534756.tif 000023
【００６５】
端末は、ｅＰＤＣＣＨリソースセットのＬｏｃａｌｉｚｅｄ型／Ｄｉｓｔｒｉｂｕｔｅｄ型配置とＰＲＢの数Ｎに基づいて検出すべき集約レベルを確定し、基準が次の通りである。
【表１７】
2015534756.tif 000024
【００６６】
端末は、ＰＲＢの数ＮとｅＤＣＣＨリソースセットタイプに基づいて検出すべき集約レベルを確定した後、対応するｅＰＤＣＣＨリソースセットに検出すべき集約レベルを検出する。
【００６７】
実施形態３：前記（ａ）、（ｃ）に基づいてＸ（ｉ）を確定し、
サブフレームＳにおいて、基地局は、端末にＫ個のｅＰＤＣＣＨリソースセットを配置し、例えばＫが３である場合、
Ｓｅｔ１がＮ１個のＰＲＢを含み、Ｓｅｔ２がＮ２個のＰＲＢ  ｐａｉｒを含み、Ｓｅｔ３がＮ２個のＰＲＢ  ｐａｉｒを含み、Ｓｅｔ１、２、３がそれぞれＬｏｃａｌｉｚｅｄ型またはＤｉｓｔｒｉｂｕｔｅｄ型に配置されることができ、
Ｎ個のＰＲＢにおけるＰＲＢ  Ｉｎｄｅｘがいくつかの特徴を持つかもしれなく、例えば、
図４に示すように、Ｎ個のＰＲＢにおけるすべてのＰＲＢ  Ｉｎｄｅｘが連続しない、
または、図５に示すように、Ｎ個のＰＲＢにおける一部のＰＲＢ  Ｉｎｄｅｘが存在することがあり、例えば２個のＰＲＢ  ｉｎｄｅｘが連続し、
またより多くのＰＲＢ  ｉｎｄｅｘ（例えば４個）が連続することがあるかもしれない。
【表１８】
2015534756.tif 000025
【００６８】
または、
【表１９】
2015534756.tif 000026
【００６９】
または、
【表２０】
2015534756.tif 000027
【００７０】
端末は、ＰＲＢの数ＮとＰＲＢ  ｉｎｄｅｘに連続するＰＲＢ  Ｉｎｄｅｘがあるかどうかに基づいて、Ｓｅｔ  ｉ内の制御シグナリングを検出する場合の検出すべき集約レベルを確定した後に、対応するｅＰＤＣＣＨリソースセットに検出すべき集約レベルを検出する。
【００７１】
上記方法は、基地局がＳｅｔ  ｉに対応するＰＲＢ  ｐａｉｒの個数Ｎの情報、Ｓｅｔ  ｉに含まれるＰＲＢ  ｐａｉｒのＰＲＢ  ｉｎｄｅｘ、およびＳｅｔ  ｉの検出すべき集約レベル情報を共同で符号化し、通知すると同等で説明されることができることができる。
実施形態４：前記（ｄ）に基づいてＸ（ｉ）を確定し、
サブフレームＳにおいて、基地局は、端末にＫ個のｅＰＤＣＣＨリソースセットを配置し、例えばＫが３である場合、
Ｓｅｔ１がＮ１個のＰＲＢ  ｐａｉｒを含み、Ｓｅｔ２がＮ２個のＰＲＢ  ｐａｉｒを含み、Ｓｅｔ３がＮ２個のＰＲＢ  ｐａｉｒを含み、Ｓｅｔ１、２、３がそれぞれＬｏｃａｌｉｚｅｄ型またはＤｉｓｔｒｉｂｕｔｅｄ型に配置されることができる。
【００７２】
上記の実施形態に示すように、異なるサブフレームと異なる利用可能なｅＰＤＣＣＨ伝送のためのＲＥの数は、Ｌｏｃａｌｉｚｅｄ型とＤｉｓｔｒｉｂｕｔｅｄ型のｅＰＤＣＣＨリソースセットの変化が発生するが、同じサブフレームに対して固定される。
【００７３】
基地局は、各集約レベルのＡＬを配置し、例えばＫ＝２、基地局は、シグナリングを送信して２個のｅＰＤＣＣＨリソースセットの集約レベルを配置する。
【表２１】
2015534756.tif 000028
【００７４】
または、
【表２２】
2015534756.tif 000029
【００７５】
または、
【表２３】
2015534756.tif 000030
【００７６】
または、
【表２４】
2015534756.tif 000031
【００７７】
または、
【表２５】
2015534756.tif 000032
【００７８】
または、
【表２６】
2015534756.tif 000033
【００７９】
または、
【表２７】
2015534756.tif 000034
【００８０】
端末は、ｅＰＤＣＣＨリソースセットの個数Ｋと各ｅＰＤＣＣＨリソースセットのインデックスｉに基づいて、Ｓｅｔ  ｉ内の制御シグナリングを検出する場合の検出すべき集約レベルを確定した後に、対応するｅＰＤＣＣＨリソースセットに検出すべき集約レベルを検出する。
【００８１】
対応する内容に基づいて確定されたＸ（ｉ）の考え方および一部の実施形態がすでに上記の内容に説明され、具体的な説明が表に係る時に、前記考え方および実施形態と組み合わせて表における対応関係からどのように対応する内容に基づいてＸ（ｉ）を確定するかを知ることができ、したがって、下記の実施形態に同様に前記考え方および実施形態と組み合わせて表における対応関係からどのように対応する内容に基づいてＸ（ｉ）を確定するかを知ることができ、表を繰り返して説明しないと説明すべきである。
【００８２】
実施形態５：前記（ａ）、（ｄ）に基づいてＸ（ｉ）を確定する。
【表２８】
2015534756.tif 000035
【００８３】
または、
【表２９】
2015534756.tif 000036
【００８４】
または、
【表３０】
2015534756.tif 000037
【００８５】
端末は、ＰＲＢの数Ｎと基地局の集約レベル指示シグナリングに基づいて、Ｓｅｔ  ｉ内の制御シグナリングを検出する場合の検出すべき集約レベルを確定した後に、対応するｅＰＤＣＣＨリソースセットに検出すべき集約レベルを検出する。
【００８６】
上記の方法は、基地局がＳｅｔ  ｉに対応するＰＲＢ  ｐａｉｒの個数Ｎの情報、およびＳｅｔ  ｉの検出すべき集約レベル情報を共同で符号化し、通知すると同等で説明されることができる。
【００８７】
実施形態６：前記（ａ）、（ｅ）に基づいてＸ（ｉ）を確定する。
【表３１】
2015534756.tif 000038
【００８８】
端末は、Ｓｅｔ  ｉに対応するＰＲＢ  ｐａｉｒの個数Ｎの値、Ｋ個のｅＰＤＣＣＨリソースセットのｅＰＤＣＣＨ伝送タイプに基づいて、Ｓｅｔ  ｉ内の制御シグナリングを検出する場合の検出すべき集約レベルを確定した後に、対応するｅＰＤＣＣＨリソースセットに検出すべき集約レベルを検出する。
【００８９】
実施形態７：前記（ａ）、（ｆ）に基づいてＸ（ｉ）を確定する。
【表３２】
2015534756.tif 000039
【００９０】
または、
【表３３】
2015534756.tif 000040
【００９１】
端末は、Ｋ値、Ｓｅｔ  ｉの番号ｉに基づいて、Ｓｅｔ  ｉ内の制御シグナリングを検出する場合の検出すべき集約レベルを確定した後に、対応するｅＰＣＣＨリソースセットに検出すべき集約レベルを検出する。
【００９２】
実施形態８：前記（ａ）、（ｇ）に基づいてＸ（ｉ）を確定する。
【表３４】
2015534756.tif 000041
【００９３】
端末は、Ｎ値、ｅＣＣＥに含まれるｅＲＥＧの数に基づいて、Ｓｅｔ  ｉ内の制御シグナリングを検出する場合の検出すべき集約レベルを確定した後に、対応するｅＰＤＣＣＨリソースセットに検出すべき集約レベルを検出する。
【００９４】
実施形態９：前記（ａ）、（ｈ）に基づいてＸ（ｉ）を確定する。
【表３５】
2015534756.tif 000042
【表３６】
2015534756.tif 000043
【００９５】
実施形態１０：前記（ｂ）、（ｃ）に基づいてＸ（ｉ）を確定する。
【表３７】
2015534756.tif 000044
【表３８】
2015534756.tif 000045
【表３９】
2015534756.tif 000046
【００９６】
実施形態１１：前記（ｂ）、（ｄ）に基づいてＸ（ｉ）を確定する。
【表４０】
2015534756.tif 000047
【表４１】
2015534756.tif 000048
【００９７】
実施形態１２：前記（ｂ）、（ｅ）に基づいてＸ（ｉ）を確定する。
【表４２】
2015534756.tif 000049
【００９８】
実施形態１３：前記（ｂ）、（ｇ）に基づいてＸ（ｉ）を確定する。
【表４３】
2015534756.tif 000050
【表４４】
2015534756.tif 000051
【００９９】
実施形態１４：前記（ｂ）、（ｈ）に基づいてＸ（ｉ）を確定する。
【表４５】
2015534756.tif 000052
【表４６】
2015534756.tif 000053
【０１００】
実施形態１５：前記（ｃ）、（ｄ）に基づいてＸ（ｉ）を確定する。
【表４７】
2015534756.tif 000054
【０１０１】
実施形態１６：前記（ｃ）、（ｆ）に基づいてＸ（ｉ）を確定する。
【表４８】
2015534756.tif 000055
【０１０２】
または、
【表４９】
2015534756.tif 000056
【０１０３】
実施形態１７：前記（ｃ）、（ｇ）に基づいてＸ（ｉ）を確定する。
【表５０】
2015534756.tif 000057
【０１０４】
実施形態１８：前記（ｃ）、（ｈ）に基づいてＸ（ｉ）を確定する
【表５１】
2015534756.tif 000058
【０１０５】
実施形態１９：前記（ｄ）、（ｅ）に基づいてＸ（ｉ）を確定する。
【表５２】
2015534756.tif 000059
【０１０６】
実施形態２０：前記（ｄ）、（ｇ）に基づいてＸ（ｉ）を確定する。
【表５３】
2015534756.tif 000060
【０１０７】
実施形態２１：前記（ｄ）、（ｈ）に基づいてＸ（ｉ）を確定する。
【表５４】
2015534756.tif 000061
【０１０８】
実施形態２２：前記（ｅ）、（ｆ）に基づいてＸ（ｉ）を確定する。
【表５５】
2015534756.tif 000062
【０１０９】
または、
【表５６】
2015534756.tif 000063
【０１１０】
実施形態２３：前記（ｅ）、（ｆ）、（ｇ）に基づいてＸ（ｉ）を確定し、
（表５７＝表５７１＋表５７２）
【表５７１】
2015534756.tif 000064
【表５７２】
2015534756.tif 000065
【０１１１】
実施形態２４：前記（ｅ）、（ｆ）、（ｇ）および閾値に基づいてＸ（ｉ）を確定する。
（表５８＝表５８１＋表５８２＋表５８３＋表５８４）
【表５８１】
2015534756.tif 000066
【表５８２】
2015534756.tif 000067
【表５８３】
2015534756.tif 000068
【表５８４】
2015534756.tif 000069
【０１１２】
実施形態２５：前記（ａ）、（ｂ）、（ｃ）に基づいてＸ（ｉ）を確定する。
【表５９】
2015534756.tif 000070
【０１１３】
実施形態２６：前記（ａ）、（ｂ）、（ｄ）に基づいてＸ（ｉ）を確定する。
【表６０】
2015534756.tif 000071
【０１１４】
実施形態２７：前記（ａ）、（ｂ）、（ｅ）、（ｆ）、（ｇ）に基づいてＸ（ｉ）を確定する。
（表６１＝表６１１＋表６１２）
【表６１１】
2015534756.tif 000072
【表６１２】
2015534756.tif 000073
【０１１５】
実施形態２８：前記（ｂ）、（ｅ）、（ｆ）、（ｇ）に基づいてＸ（ｉ）を確定する。
【表６２】
2015534756.tif 000074
【０１１６】
実施形態２９：前記（ｅ）、（ｆ）、（ｇ）に基づいてＸ（ｉ）を確定する。
【表６３】
2015534756.tif 000075
【０１１７】
実施形態３０：前記（ｅ）、（ｆ）、（ｇ）、（ｈ）に基づいてＸ（ｉ）を確定する。
【表６４】
2015534756.tif 000076
【０１１８】
実施形態３１：
Ｌｏｃａｌｉｚｅｄ型ｅＰＤＣＣＨリソースセットに対応する選択可能なＡＬセットが｛１、２、４、８｝であり、Ｄｉｓｔｒｉｂｕｔｅｄ型ｅＰＤＣＣＨリソースセットに対応する選択可能なＡＬセットが｛１、２、４、８、１６｝である。
例えば２個のＬｏｃａｌｉｚｅｄ型セットと１個のＤｉｓｔｒｉｂｕｔｅｄ型セットが存在する。
【表６５】
2015534756.tif 000077
【０１１９】
実施形態３２：
３個のｅＰＤＣＣＨリソースセットが存在し、１個のｅＰＤＣＣＨリソースセットがＤタイプであり、２個のｅＰＤＣＣＨリソースセットがＬタイプであり、Ｌｏｃａｌｉｚｅｄ型ｅＰＤＣＣＨリソースセットに対応する選択可能なＡＬセットが｛２、４、８、１６｝であり、Ｄｉｓｔｒｉｂｕｔｅｄ型ｅＰＤＣＣＨリソースセットに対応する選択可能なＡＬセットが｛２、４、８、１６、３２｝である。
【表６６】
2015534756.tif 000078
【０１２０】
実施形態３３：
３個のｅＰＤＣＣＨリソースセットが存在し、１個のｅＰＤＣＣＨリソースセットがＤタイプであり、２個のｅＰＤＣＣＨリソースセットがＬタイプであり、Ｌｏｃａｌｉｚｅｄ型ｅＰＤＣＣＨリソースセットに対応する選択可能なＡＬセットが｛２、４、８｝であり、Ｄｉｓｔｒｉｂｕｔｅｄ型ｅＰＤＣＣＨリソースセットに対応する選択可能なＡＬセットが｛２、４、８、１６｝である。
【表６７】
2015534756.tif 000079
【０１２１】
実施形態３４：
例えば２個のＬｏｃａｌｉｚｅｄ型ｅＰＤＣＣＨリソースセットと２個のＤｉｓｔｒｉｂｕｔｅｄ型ｅＰＤＣＣＨリソースセットが存在し、下記の配置がある。
【表６８】
2015534756.tif 000080
【０１２２】
実施形態３５：
例えば１個のＬｏｃａｌｉｚｅｄ型ｅＰＤＣＣＨリソースセットと１個のＤｉｓｔｒｉｂｕｔｅｄ型ｅＰＤＣＣＨリソースセットが存在し、下記の配置がある。
【表６９】
2015534756.tif 000081
【０１２３】
実施形態３６：
２個のｅＰＤＣＣＨリソースセットが存在し、すべてＤタイプに属する。
【表７０】
2015534756.tif 000082
【０１２４】
上述したように、本発明の制御シグナリング検出の実施形態は、図６に示すプロセスに表されることができ、当該プロセスは、
サブフレームＳにおいて、端末がＫ個のｅＰＤＣＣＨリソースセット内に制御シグナリングを検出するステップ６１０と、
端末が前記Ｋ個のｅＰＤＣＣＨリソースセットにおけるセットＳｅｔ  ｉにリソースの集約レベルのセットＸ（ｉ）を検出し、ｉが整数で、０?ｉ＝Ｋとするステップとを含む。
【０１２５】
上述しように、方法であっても、装置であっても、本発明の実施形態に係る制御シグナリング検出およびシグナリング検出制御の技術により、各ｅＰＤＣＣＨ  ｒｅｓｏｕｒｃｅ  ｓｅｔの検出がよりターゲットを絞るようになり、不合理な集約レベル検出を避けて、検出効率を向上させる。
【０１２６】
上記は、本発明の最適的な実施形態に過ぎなく、本発明の保護範囲を制限することに用いられるものではない。
【図１】
2015534756.tif 000089
【図２】
2015534756.tif 000090
【図３】
2015534756.tif 000091
【図４】
2015534756.tif 000092
【図５】
2015534756.tif 000093
【図６】
2015534756.tif 000094
【国際調査報告】
2015534756.tif 000095
2015534756.tif 000096
2015534756.tif 000097
2015534756.tif 000098